【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
リッチメディアクライアントとリッチメディアサーバーとの間で送信するためのリッチメディアコンテンツに関する情報を与える方法において、
情報のテキスト＋オクテットペイロードを準備するステップであって、前記テキスト＋オクテットペイロードは、ハイパーテキスト転送プロトコル及びリアルタイムストリーミングプロトコルの少なくとも１つを含む複数のプロトコルにわたって使用できるフォーマットに基づいて準備され、そして
事象、事象識別子及びエレメント識別子を有する第１部分、及び
送信のためのデータを含む第２部分、
を含むものであるステップと、
所定のプロトコルを使用して前記リッチメディアクライアントとリッチメディアサーバーとの間で前記準備されたテキスト＋オクテットペイロードを送信するステップと、
を備えた方法。
【請求項２】
前記情報は、フィードバック情報を含む、請求項１に記載の方法。
【請求項３】
前記情報は、フィードフォワード送信情報を含む、請求項１に記載の方法。
【請求項４】
前記データは、一連のオクテットとして記憶される、請求項１に記載の方法。
【請求項５】
前記データは、事象の属性を含む、請求項１に記載の方法。
【請求項６】
前記データは、前記リッチメディアクライアントからの処理された情報を含む、請求項１に記載の方法。
【請求項７】
前記事象は、ＳＶＧ事象を含む、請求項１に記載の方法。
【請求項８】
前記事象は、ユーザ定義事象を含む、請求項１に記載の方法。
【請求項９】
前記事象識別子は、前記リッチメディアクライアントからのフィードバックメッセージを識別するのに使用される独特の識別子である、請求項１に記載の方法。
【請求項１０】
前記エレメント識別子は、事象をトリガーするソースエレメントの識別子である、請求項１に記載の方法。
【請求項１１】
前記所定のプロトコルは、マルチメディアメッセージングシステムを含む、請求項１に記載の方法。
【請求項１２】
前記所定のプロトコルは、ショートメッセージングシステムを含む、請求項１に記載の方法。
【請求項１３】
前記所定のプロトコルは、ハイパーテキスト転送プロトコルを含む、請求項１に記載の方法。
【請求項１４】
前記テキスト＋オクテットペイロードは、ＨＴＴＰ  ＧＥＴ要求によって搬送される、請求項１３に記載の方法。
【請求項１５】
前記テキスト＋オクテットペイロードは、ＨＴＴＰ  ＧＥＴ要求をミリ秒に基づくように拡張するための情報を含む、請求項１４に記載の方法。
【請求項１６】
前記テキスト＋オクテットペイロードは、ＨＴＴＰ  ＧＥＴ要求を同期サンプルに基づくように拡張するための情報を含む、請求項１４に記載の方法。
【請求項１７】
前記テキスト＋オクテットペイロードは、ＨＴＴＰ  ＰＯＳＴ要求により搬送される、請求項１３に記載の方法。
【請求項１８】
前記テキスト＋オクテットペイロードは、ＨＴＴＰ  ＰＵＴ要求により搬送される、請求項１３に記載の方法。
【請求項１９】
前記所定のプロトコルは、リアルタイムストリーミングプロトコルを含む、請求項１に記載の方法。
【請求項２０】
前記テキスト＋オクテットペイロードは、ＰＬＡＹ要求により搬送される、請求項１に記載の方法。
【請求項２１】
前記テキスト＋オクテットペイロードにおける事象は、前記リッチメディアクライアントにより処理される、請求項１に記載の方法。
【請求項２２】
前記テキスト＋オクテットペイロードにおける事象は、前記リッチメディアサーバーにより処理される、請求項１に記載の方法。
【請求項２３】
前記テキスト＋オクテットペイロードは、複数のセグメントを含み、これら複数のセグメントの各々は、メタデータを含み、このメタデータは、各セグメントのアイデンティティ、セグメントの合計数、送信されるデータのフォーマット、及びテキスト＋オクテットペイロードの長さの指示を含む、請求項１に記載の方法。
【請求項２４】
前記複数のセグメント各々のメタデータは、更に、使用されるキャラクタセットの名前を含む、請求項２４に記載の方法。
【請求項２５】
前記テキスト＋オクテットペイロードは、送信されるデータのフォーマット、テキスト＋オクテットペイロードの長さ、及び使用されるキャラクタセットの名前を含むメタデータを備えた、請求項１に記載の方法。
【請求項２６】
前記リッチメディアコンテンツは、ＳＶＧコンテンツ、オーディオコンテンツ、ビデオコンテンツ、イメージ、テキスト、及びその組み合せより成るグループから選択される、請求項１に記載の方法。
【請求項２７】
リッチメディアクライアントとリッチメディアサーバーとの間で送信するためのリッチメディアコンテンツに関する情報を与えるコンピュータプログラム製品において、
情報のテキスト＋オクテットペイロードを準備するためのコンピュータコードであって、前記テキスト＋オクテットペイロードは、ハイパーテキスト転送プロトコル及びリアルタイムストリーミングプロトコルの少なくとも１つを含む複数のプロトコルにわたり使用できるフォーマットに基づいて準備され、そして
事象、事象識別子及びエレメント識別子を有する第１部分、及び
送信のためのデータを含む第２部分、
を含むものであるコンピュータコードと、
所定のプロトコルを使用して前記リッチメディアクライアントとリッチメディアサーバーとの間で前記準備されたテキスト＋オクテットペイロードを送信するためのコンピュータコードと、
を備えたコンピュータプログラム製品。
【請求項２８】
前記所定のプロトコルは、マルチメディアメッセージングシステムを含む、請求項２７に記載のコンピュータプログラム製品。
【請求項２９】
前記所定のプロトコルは、ショートメッセージングシステムを含む、請求項２７に記載のコンピュータプログラム製品。
【請求項３０】
前記所定のプロトコルは、ハイパーテキスト転送プロトコルを含む、請求項２７に記載のコンピュータプログラム製品。
【請求項３１】
前記所定のプロトコルは、リアルタイムストリーミングプロトコルを含む、請求項２７に記載のコンピュータプログラム製品。
【請求項３２】
前記情報は、フィードバック情報を含む、請求項２７に記載のコンピュータプログラム製品。
【請求項３３】
前記情報は、フィードフォワード送信情報を含む、請求項２７に記載のコンピュータプログラム製品。
【請求項３４】
前記リッチメディアコンテンツは、ＳＶＧコンテンツ、オーディオコンテンツ、ビデオコンテンツ、イメージ、テキスト、及びその組み合せより成るグループから選択される、請求項２７に記載のコンピュータプログラム製品。
【請求項３５】
プロセッサと、
前記プロセッサに作動的に接続されたメモリユニットであって、電子装置とリモート装置との間で送信するためのリッチメディアコンテンツに関する情報を与えるコンピュータプログラム製品を含むメモリユニットと、
を備え、前記コンピュータプログラム製品は、
情報のテキスト＋オクテットペイロードを準備するためのコンピュータコードであって、前記テキスト＋オクテットペイロードは、ハイパーテキスト転送プロトコル及びリアルタイムストリーミングプロトコルの少なくとも１つを含む複数のプロトコルにわたり使用できるフォーマットに基づいて準備され、そして
事象、事象識別子及びエレメント識別子を有する第１部分、及び
送信のためのデータを含む第２部分、
を含むものであるコンピュータコードと、
所定のプロトコルを使用して電子装置とリモート装置との間で前記準備されたテキスト＋オクテットペイロードを送信するためのコンピュータコードと、
を備えたものである、電子装置。
【請求項３６】
前記所定のプロトコルは、マルチメディアメッセージングシステムを含む、請求項３５に記載の電子装置。
【請求項３７】
前記所定のプロトコルは、ショートメッセージングシステムを含む、請求項３５に記載の電子装置。
【請求項３８】
前記所定のプロトコルは、ハイパーテキスト転送プロトコルを含む、請求項３５に記載の電子装置。
【請求項３９】
前記所定のプロトコルは、リアルタイムストリーミングプロトコルを含む、請求項３５に記載の電子装置。
【請求項４０】
前記情報は、フィードバック情報を含む、請求項３５に記載の電子装置。
【請求項４１】
前記情報は、フィードフォワード送信情報を含む、請求項３５に記載の電子装置。
【請求項４２】
前記リッチメディアコンテンツは、ＳＶＧコンテンツ、オーディオコンテンツ、ビデオコンテンツ、イメージ、テキスト、及びその組み合せより成るグループから選択される、請求項３５に記載の電子装置。
【請求項４３】
前記リモート装置は、リッチメディアサーバーを含む、請求項３５に記載の電子装置。